(57)【要約】【課題】描画する色を指定するパレットを視聴者の色覚特性に応じて選択できる表示装置を提供する。【解決手段】プロジェクター１００は、複数の色データを有するパレットであって、複数のパレットの中から１つを選択するパレット選択部３１０と、パレット選択部で選択された第１のパレットが有する複数の色データの中から１つを選択する色選択部３２０と、色選択部で選択された色データが示す色で線画像２８０を描画する描画処理部１６０と、入力された入力画像に線画像２８０を重畳させた合成画像を生成する画像処理部１７０と、合成画像を表示する画像投写部２２０と、を備える。【選択図】図１
2015114501.tif 000002
【特許請求の範囲】
【請求項１】
複数の色データを有するパレットであって、複数の前記パレットの中から１つを選択するパレット選択部と、
前記パレット選択部で選択された第１のパレットが有する前記複数の色データの中から１つを選択する色選択部と、
前記色選択部で選択された色データが示す色で第１の画像を描画する描画部と、
入力された入力画像に前記第１の画像を重畳させた合成画像を生成する合成部と、
前記合成画像を表示する表示部と、を備えることを特徴とする表示装置。
【請求項２】
請求項１に記載の表示装置において、
複数の前記パレットの少なくとも１つは、色弱者が識別しやすい前記複数の色データを有することを特徴とする表示装置。
【請求項３】
請求項１乃至２のいずれかに記載の表示装置において、
前記合成部が合成した前記合成画像に前記パレット選択部と前記色選択部とを含むＯＳＤ画像を重畳させて前記表示部に表示させるＯＳＤ処理部を備えることを特徴とする表示装置。
【請求項４】
請求項１乃至３のいずれか１項に記載の表示装置において、
前記表示部に表示する指示像を移動させて指示する指示部を備え、
前記第１の画像は前記指示像が移動した軌跡を示すことを特徴とする表示装置。
【請求項５】
請求項１乃至４のいずれか１項に記載の表示装置において、
前記描画部は、前記第１のパレットを、前記第１のパレットとは異なる第２のパレットに切り替えて前記第１の画像を描画することにより第２の画像を生成し、
前記合成部は、前記第１の画像および前記第２の画像を所定の時間間隔で切り替えて前記合成画像を生成することを特徴とする表示装置。
【請求項６】
請求項１乃至５のいずれか１項に記載の表示装置において、
前記合成画像には、前記入力画像と重畳した画像を描画した前記パレットに関する情報を含むことを特徴とする表示装置。
【請求項７】
複数の色データを有するパレットであって、複数の前記パレットの中から１つを選択するパレット選択ステップと、
前記パレット選択ステップで選択された第１のパレットが有する前記複数の色データの中から１つを選択する色選択ステップと、
前記色選択ステップで選択された色データが示す色で第１の画像を描画する描画ステップと、
入力された入力画像に前記第１の画像を重畳させた合成画像を生成する合成ステップと、
前記合成画像を表示する表示ステップと、を備えることを特徴とする表示装置の制御方法。
【発明の詳細な説明】
【技術分野】
【０００１】
本発明は、表示装置および表示装置の制御方法に関する。
【背景技術】
【０００２】
従来、プロジェクターで対象画像を投写しているスクリーンに対し、マウス等のポインティングデバイスにより位置指示操作を行う場合、ポインティングデバイスの指示位置を取得し、指示位置にカーソルを対象画像と重畳して描画するプロジェクターが知られている（例えば、特許文献１参照）。このようなプロジェクターでは、カーソルの移動軌跡を線画像として生成し、生成した線画像と対象画像とを合成して表示することができる。
このようなプロジェクターは、移動軌跡を描画する色を指定するためのパレットをスクリーンに表示し、ユーザーはパレットに示される色情報から所望の色を選択することで、移動軌跡を所望の色で描画できる。パレットに示される色情報は、一般的に使用されることが多い基本色と呼ばれる複数色の色情報であり、プロジェクターで投写した場合に、最も映えるような色データが採用されている。
【先行技術文献】
【特許文献】
【０００３】
【特許文献１】特開２０１２−１２９５９３号公報
【発明の概要】
【発明が解決しようとする課題】
【０００４】
しかしながら、プロジェクターが投写する映像を見る視聴者の色覚特性等によっては、パレットから選択した色で描画した線画像が見えにくいことがあったが、従来のプロジェクターでは、他のパレットを選択することはできないため、色覚特性が異なる視聴者に対する視認性の改善が望まれていた。
本発明は、上述の課題に鑑みてなされたものであり、描画する色を指定するパレットを視聴者の色覚特性に応じて選択できる表示装置および表示装置の制御方法を提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる表示装置は、複数の色データを有するパレットであって、複数の前記パレットの中から１つを選択するパレット選択部と、前記パレット選択部で選択された第１のパレットが有する前記複数の色データの中から１つを選択する色選択部と、前記色選択部で選択された色データが示す色で第１の画像を描画する描画部と、入力された入力画像に前記第１の画像を重畳させた合成画像を生成する合成部と、前記合成画像を表示する表示部と、を備えることを特徴とする。
【０００７】
このような構成によれば、複数のパレットから１つを選択し、選択した第１のパレットが有する色データの中から選択した色を使用して第１の画像を描画できるため、色覚特性等に応じて第１のパレットを適切に選択することで、第１の画像と入力画像とを重畳した合成画像において第１の画像の視認性を向上させることができる。
【０００８】
［適用例２］
上記適用例にかかる表示装置において、複数の前記パレットの少なくとも１つは、色弱者が識別しやすい前記複数の色データを有することが好ましい。
【０００９】
このような構成によれば、複数のパレットの少なくとも１つは、色弱者が識別しやすい複数の色データを有するため、色弱者に対して第１の画像の視認性を向上させることができる。
【００１０】
［適用例３］
上記適用例にかかる表示装置において、前記合成部が合成した前記合成画像に前記パレット選択部と前記色選択部とを含むＯＳＤ画像を重畳させて前記表示部に表示させるＯＳＤ処理部を備えることが好ましい。
【００１１】
このような構成によれば、合成画像にＯＳＤ画像を重畳させて表示部に表示させることができるため、操作性の向上を図れる。
【００１２】
［適用例４］
上記適用例にかかる表示装置において、前記表示部に表示する指示像を移動させて指示する指示部を備え、前記第１の画像は前記指示像が移動した軌跡を示すことが好ましい。
【００１３】
このような構成によれば、指示像が移動した軌跡の視認性を向上できる。
【００１４】
［適用例５］
上記適用例にかかる表示装置において、前記描画部は、前記第１のパレットを、前記第１のパレットとは異なる第２のパレットに切り替えて前記第１の画像を描画することにより第２の画像を生成し、前記合成部は、前記第１の画像および前記第２の画像を所定の時間間隔で切り替えて前記合成画像を生成することが好ましい。
【００１５】
このような構成によれば、選択した第１のパレットを用いて描画した第１の画像と、第１のパレットとは異なる第２のパレットを用いて描画した第２の画像とを所定の時間間隔で切り替えて合成画像を生成するため、幅広い色覚特性に対応した合成画像を生成して表示できる。
【００１６】
［適用例６］
上記適用例にかかる表示装置において、前記合成画像には、前記入力画像と重畳した画像を描画した前記パレットに関する情報を含むことが好ましい。
【００１７】
このような構成によれば、合成画像が含むパレットに関する情報を表示することにより、視聴者にパレットの情報を通知できる。
【００１８】
［適用例７］
本適用例にかかる表示装置の制御方法は、複数の色データを有するパレットであって、複数の前記パレットの中から１つを選択するパレット選択ステップと、前記パレット選択ステップで選択された第１のパレットが有する前記複数の色データの中から１つを選択する色選択ステップと、前記色選択ステップで選択された色データが示す色で第１の画像を描画する描画ステップと、入力された入力画像に前記第１の画像を重畳させた合成画像を生成する合成ステップと、前記合成画像を表示する表示ステップと、を備えることを特徴とする。
【００１９】
このような構成によれば、複数のパレットから１つを選択し、選択した第１のパレットが有する色データの中から選択した色を使用して第１の画像を描画できるため、色覚特性等に応じて第１のパレットを適切に選択することで、第１の画像と入力画像とを重畳した合成画像において第１の画像の視認性を向上させることができる。
【図面の簡単な説明】
【００２０】
【図１】本発明の実施形態に係るプロジェクターの構成を示すブロック図。
【図２】プロジェクターで投写する合成画像を説明する図。
【図３】アノテーション設定画面の一例を示す図。
【図４】パレットの配色パターンをＲＧＢ値で示した図。
【図５】プロジェクターがスクリーンに投写した投写画像の一例を示す図。
【発明を実施するための形態】
【００２１】
以下、本発明の実施形態について図面を参照して説明する。
【００２２】
（実施形態）
以下、添付の図面を参照し、本発明の一実施形態に係る表示装置としてプロジェクターについて説明する。
図１は、スクリーンＳＣ上に投写画像ＩＭＧを投写するプロジェクター１００の構成を示すブロック図であり、図２は、プロジェクター１００で投写する合成画像を説明する図である。
プロジェクター１００は、画像信号入力部１１０、ポインティング指示部１２０、指示情報判定部１３０、操作部１５０、描画処理部１６０、画像処理部１７０、ＯＳＤ処理部１９０、ＯＳＤメモリー１９５、フォーカス制御部２００、ズーム制御部２１０、画像投写部２２０、操作部１５０およびこれらを統括制御する制御部１８０を備えている。
画像信号入力部１１０は、ＵＳＢメモリーやコンパクトフラッシュ（登録商標）等の記憶媒体３０から画像データを入力する。この場合、画像信号入力部１１０は、図示しないＵＳＢポートやメモリーカードスロットにより構成される。なお、本実施形態においては、記憶媒体３０から画像信号入力部１１０を介して画像データが入力されることとしたが、ビデオレコーダーやＤＶＤプレーヤー等の映像機器（外部機器）から画像信号を入力する構成としても良い。この場合、画像信号入力部１１０は、ＨＤＭＩ（登録商標）端子やビデオ端子等により構成される。
【００２３】
ポインティング指示部１２０は、操作者の操作によりスクリーンＳＣ上で指示するための指示手段であり、プロジェクター１００に設置された入力ボタン（図示は略す）等の入力操作機能、および、スクリーンＳＣの投写領域に矢印像等のカーソルＭＣのような指示像を表示させ、何れも図示を略した、ホイールの回転や方向ボタンの押下等でカーソルＭＣの移動を指示する移動指示機能を備える。また、ポインティング指示部１２０は、入力操作機能に応じた操作信号、および移動指示に応じた移動信号を指示情報判定部１３０に出力する。
尚、ポインティング指示部１２０は、プロジェクター１００に設置されたボタン等を介した指示には限定されず、所定のインターフェイスを介してプロジェクター１００と接続されたマウスやコンピューターから操作信号や移動信号を入力する態様も想定できる。また、ポインティング指示部１２０は、発光手段を具備するペン状の指示体であり、操作者が把持してスクリーンＳＣ上を移動させた移動情報をカメラ等の検知手段が検知し、検知した移動情報をポインティング指示部１２０に通知する態様も想定できる。
【００２４】
指示情報判定部１３０は、ポインティング指示部１２０から入力する操作信号や移動信号に基づいて、プロジェクター１００で実行する処理を判定する。本実施形態では、「カーソル移動処理」、「描画処理」、「線種変更処理」、「線色変更処理」、「色パレット変更処理」および「変更処理終了」の何れかを想定する。また、指示情報判定部１３０は、ポインティング指示部１２０から入力する移動信号に基づいて、スクリーンＳＣ上に表示するカーソルＭＣの座標情報（ポイント）を取得する。
描画処理部１６０は、指示情報判定部１３０で判定した処理内容およびカーソルＭＣの座標情報に基づいて、各種処理を実行する。例えば、指示情報判定部１３０が判定した処理が「描画処理」である場合、図２（ｂ）に示すように、カーソルＭＣの座標情報に基づいて、カーソルＭＣの移動軌跡を線画像２８０（第１の画像）で描画する。この描画処理では、描画対象となる線画像２８０（描画データ）を描画メモリー（図示せず）に格納する。
尚、線画像２８０を描画する線幅や線色は、アノテーション設定画面３００（図３）で設定された設定情報に基づいて描画する。また、線画像２８０は直線には限定されず、カーソルＭＣの移動軌跡に応じた自由曲線等も含む。例えば、線画像２８０の組み合わせにより、文字や図形が形成される態様も想定できる。尚、描画処理部１６０は描画部に相当する。
【００２５】
画像処理部１７０は、画像信号入力部１１０に入力した画像データと、描画処理部１６０により描画メモリーに格納された描画データ（線画像２８０）と、を合成する画像合成処理を行なう。この場合、画像データと、描画データとは、異なるレイヤーに描画され、別々のレイヤーに描画されたデータを重ね合わせて合成画像（合成画像データ）を生成する。例えば、図２（ａ）の画像信号入力部１１０に入力した画像と、図２（ｂ）の線画像２８０と、を合成することで、図２（ｃ）のような合成画像が生成される。
更に、画像処理部１７０は、画像データに対し、予め記憶されている画像処理プログラムに基づいて、解像度変換、輝度調整、コントラスト調整、シャープネス調整等の画質調整、あるいは、台形歪補正等の各種画像処理を施し、処理後の画像データ（以下、「補正画像データ」と称する）を図示しないフレームメモリーに格納する。尚、画像データは、描画データ（線画像２８０）との合成を行う場合には合成画像データであり、描画データ（線画像２８０）との合成を行わない場合には画像信号入力部１１０に入力された画像データである。
【００２６】
更に、画像処理部１７０は、補正画像データを、ＯＳＤ（オンスクリーンディスプレイ）処理部１９０に出力する。
尚、本実施形態では、画像処理部１７０は、最初に合成画像データを生成し、生成した合成画像データに対して各種画像処理を施す態様を採用するが、これには限定されず、入力した画像データに対して各種画像処理を施した後、描画データ（線画像２８０）と合成して合成画像データを生成する態様も採用できる。また、画像処理部１７０は合成部に相当する。
ＯＳＤ処理部１９０は、制御部１８０の指示に基づいて、種々のメニュー画面やメッセージ画面等のＯＳＤ画面を、画像処理部１７０から入力される補正画像データの画像に重畳させる処理を行なう。ＯＳＤ画像を形成する図形やフォント等を表すＯＳＤ画像データは、ＯＳＤメモリー１９５に記憶されている。従って、制御部１８０が、ＯＳＤ画像の重畳を指示すると、ＯＳＤ処理部１９０は、適切なＯＳＤ画像データをＯＳＤメモリー１９５から読み出し、入力された補正画像データの所定の位置にＯＳＤ画像データを重畳する処理を実行する。ＯＳＤ画像データが合成された補正画像データは、ライトバルブ駆動部２３０に出力される。
【００２７】
本実施形態では、ＯＳＤ画面として表示するメニュー画面の１つとして、アノテーション設定画面３００について説明する。図３は、アノテーション設定画面３００の一例を示す図である。アノテーション設定画面３００は、ポインティング指示部１２０を操作して線画を描画する際に使用可能（変更可能）なパラメーターの設定を行うための画面である。例えば、指示情報判定部１３０が判定した処理が「線種変更処理」、「線色変更処理」および「色パレット変更処理」の何れかである場合、ＯＳＤ処理部１９０は、アノテーション設定画面３００に対応するＯＳＤ画像データをＯＳＤメモリー１９５から読み出し、投写画像ＩＭＧの左下領域に表示する。
アノテーション設定画面３００は、画像処理部１７０から入力される画像データをスクリーンＳＣに対して投写し、操作者がアノテーションを設定する間、投写画像ＩＭＧの左下領域に表示される（表示オン）。また、指示情報判定部１３０により、ポインティング指示部１２０の操作に基づく処理が「変更処理終了」であると判定した場合、ＯＳＤ処理部１９０は、アノテーション設定画面３００を消去し、アノテーション設定画面３００が重畳して表示されていた領域には投写画像ＩＭＧが表示される（表示オフ）。
【００２８】
アノテーション設定画面３００は、パレット選択部３１０、色選択部３２０および線種選択部３３０を有する。これらは何れもポインティング指示部１２０を介して選択指示される。
パレット選択部３１０では、線画像２８０の描画色を指示するための配色パターン（パレット）を選択する。本実施形態では、パレット選択部３１０は、パレット選択ラジオボタン３１２、パレット情報表示チェックボックス３１４および自動切換チェックボックス３１６を有する。
パレット選択ラジオボタン３１２は、パレットＡ、パレットＢおよびパレットＣの何れか１つを選択する。本実施形態では、パレットＡ（第１のパレット）は、一般的に使用される色彩を有し、基準となる基本色の配色パターンで構成され、パレットＢやパレットＣ（第２のパレット）は、色弱者（Ｐ型、Ｄ型、Ｔ型、Ｈ型等）が識別しやすい基本色の配色パターンで構成されている。尚、本実施形態では、選択可能なパレットを３種類表示しているが、種類数は限定されない。
【００２９】
ここで図４は、パレットＡとパレットＢの各配色パターンの色データをＲＧＢ値で示した例であり、選択されたパレットの各配色パターン（色１〜色１２）は色選択部３２０に表示される。例えば、パレット選択ラジオボタン３１２においてパレットＡが選択された場合、色選択部３２０の左上の「色１」領域は、ＲＧＢ値が（２５５，０，０）に対応する色で塗りつぶされる。また、パレット選択ラジオボタン３１２においてパレットＢが選択された場合、色選択部３２０の左上の「色１」領域は、ＲＧＢ値が（２５５，４０，０）に対応する色で塗りつぶされる。
また、パレット情報表示チェックボックス３１４は、パレット選択ラジオボタン３１２で選択したパレットの情報をスクリーンＳＣに表示するか、否かを選択できる。また、自動切換チェックボックス３１６は、パレット選択ラジオボタン３１２においてパレットＡ以外のパレットＢまたはパレットＣが選択された場合、線画像２８０を、選択したパレットとパレットＡとを所定の時間間隔で切り替えるか、否かを選択できる。尚、パレットＢまたはパレットＣで描画した線画像２８０は、第２の画像に相当する。
色選択部３２０は、線画像２８０を描画する色を選択できる。操作者は、色選択部３２０の所望の色領域をポインティング指示部１２０で指示することで、描画色を選択できる。
【００３０】
線種選択部３３０は、線画像２８０を描画する線種を選択できる。操作者は、線種選択部３３０の所望の線種領域をポインティング指示部１２０で指示することで、線種や線幅を選択できる。また、本実施形態では、線種選択部３３０は線画像２８０の先端部に矢印を自動付加する設定も選択できる。
図１に戻り、フォーカス制御部２００は、スクリーンＳＣまでの距離を測定し、測定した距離に基づき、画像の所定の部位に対して焦点調整するための画像投写部２２０を構成するフォーカスレンズ（図示省略）を光軸方向に移動させることにより、フォーカス状態を調整する。
ズーム制御部２１０は、スクリーンＳＣに表示された画像を拡大・縮小するための画像投写部２２０を構成するズームレンズ（図示省略）を光軸方向に移動させて焦点距離を変更することにより、スクリーンＳＣ上に表示される画像（映像）の拡大率・縮小率を変更する。
画像投写部２２０は、ＯＳＤ処理部１９０から出力される画像データに基づく画像をスクリーンＳＣ上に投写するものであり、光源ランプ２５０、液晶ライトバルブ２６０、投写レンズ２７０、ランプ駆動部２４０およびライトバルブ駆動部２３０を有している。尚、画像投写部２２０は表示部に相当する。
【００３１】
光源ランプ２５０としては、ハロゲンランプ、メタルハライドランプまたは高圧水銀ランプを適用可能である。また、光源ランプ２５０に代えて、レーザーやＬＥＤなどの固体光源を用いても良い。液晶ライトバルブ２６０は、一対の透明基板間に液晶が封入された液晶パネル等によって構成され、各透明基板の内面には、液晶に対して微小領域毎に駆動電圧を印加可能な透明電極が、画素としてマトリクス状に形成されている。ランプ駆動部２４０は、制御部１８０からの点灯指令に基づいて、光源ランプ２５０を点灯させる。ライトバルブ駆動部２３０は、ＯＳＤ処理部１９０から入力する補正画像データに応じた駆動電圧を、液晶ライトバルブ２６０の各画素に印加することにより、各画素の光透過率を設定する。
上記の構成により、画像投写部２２０では、光源ランプ２５０から射出された照明光が、液晶ライトバルブ２６０を透過することによって変調される。また、変調された画像光は、不図示の光合成光学系（ダイクロイックプリズムなど）により画素毎に合成され、投写レンズ２７０によってスクリーンＳＣ上に投写される。
【００３２】
なお、上記のような液晶表示方式ではなく、その他の方式を採用する画像投写部２２０を適用することもできる。具体的には、ＤＭＤ（Digital  Micro  mirror  Device）を用いた投写方式、いわゆる、ＤＬＰ（Digital  Light  Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンＳＣに投影する方式であり、本発明はこのような方式のプロジェクターにも適用することができる。
操作部１５０は、プロジェクター１００本体に設けられ、各種操作を行うためのボタン群を有している。ボタン群には、電源のオン／オフを切り替えるための電源ボタン、縦横台形歪の補正を行うための台形歪補正ボタン、フォーカス調整を行うためのフォーカスボタン、ズーム調整を行うためのズームボタンが含まれる。操作者は、これら操作ボタンを操作することで、プロジェクター１００の各種設定（調整）を行うことができる。
【００３３】
制御部１８０は、ＣＰＵ（Central  Processing  Unit）、ＲＯＭ（Read  Only  Memory）、およびＲＡＭ（Random  Access  Memory）等により構成される。ＣＰＵは、各種演算処理を行う中央処理装置であり、各部との信号の入出力を行うことによりプロジェクター１００を統括制御する。ＲＯＭは、ＣＰＵが各種演算処理を行うために用いられる制御プログラムおよび制御データを記憶している。この制御プログラムには、上述の画像処理部１７０において用いられる画像処理プログラムが含まれる。また、ＲＯＭには、基本ソフトウェアであるＯＳ（Operating  System）も記憶されている。ＲＡＭは、ＣＰＵが各種演算処理を行う際の作業領域として用いられる。
【００３４】
図５は、プロジェクター１００がスクリーンＳＣに投写した投写画像ＩＭＧの一例を示す。投写画像ＩＭＧには、画像信号入力部１１０に入力した画像データのイメージと、アノテーション設定画面３００における設定に基づいて描画された線画像２８０が重畳して表示されている。また、アノテーション設定画面３００のパレット情報表示チェックボックス３１４において、パレットの情報の表示が設定されているため、選択されたパレットの情報が投写画像ＩＭＧの下部に表示されている。また、アノテーション設定画面３００の自動切換チェックボックス３１６において、自動切換が設定されている場合、パレットＢとパレットＡが所定時間で切り替わる。例えば、線画像２８０が青色で描画されている場合、線画像２８０の色はＲＧＢ値で（０，６５，２５５）と（０，０，２５５）とが所定の間隔で切り替わる。
【００３５】
以上述べた実施形態によれば、以下のような効果を奏する。
（１）プロジェクター１００のアノテーション機能を使用し、入力画像に線画像２８０を重畳して投写画像ＩＭＧを投写する場合、線画像２８０を描画する配色パターンを一般色覚者向けのパレット、または色弱者向けのパレットの何れかを選択できるため、投写画像ＩＭＧを視聴する視聴者の色覚特性に応じた最適な線画像２８０を表示できる。
（２）投写画像ＩＭＧを投写するスクリーンＳＣに、選択したパレットに関する情報を表示できるため、線画像２８０を表示しているパレットの情報を視聴者に通知できる。
（３）線画像２８０を色弱者向けのパレットから選択した配色で描画する場合、所定の時間間隔で一般色覚者向けのパレットの配色と切り替えることができるため、一般色覚者に対しても違和感なく線画像２８０を視認させることができる。
【００３６】
以上、本発明を図示した実施形態に基づいて説明したが、本発明は、本実施形態に限定されるものではなく、以下に述べるような変形例も想定できる。
例えば、プロジェクター１００は、スクリーンＳＣに投写された投写画像ＩＭＧを撮影するカメラを備え、投写画像ＩＭＧの線画像２８０を撮影し、撮影した画像の色を解析し、解析結果に基づいて、投写する線画像２８０の色を修正する態様も想定できる。これにより、スクリーンＳＣの投写面の色に依らず、線画像２８０の描画色をパレットで指定した色に合わせることができる。
また、表示装置としてプロジェクター１００を例示して説明したが、これには限定されず、液晶等の表示パネルに映像等を表示させる表示装置等にも適用できる。また、以上のような手法を実施する装置は、単独の装置によって実現される場合もあれば、複数の装置を組み合わせることによって実現される場合もあり、各種の態様を含むものである。
各実施形態における各構成及びそれらの組み合わせは一例であり、本発明の趣旨から逸脱しない範囲内で、構成の付加、省略、置換およびその他の変更が可能である。また、本発明は実施形態で限定されるものではなく、クレームの範囲によってのみ限定される。
【符号の説明】
【００３７】
３０…記憶媒体、１００…プロジェクター、１１０…画像信号入力部、１２０…ポインティング指示部、１３０…指示情報判定部、１５０…操作部、１６０…描画処理部、１７０…画像処理部、１８０…制御部、１９０…ＯＳＤ処理部、１９５…ＯＳＤメモリー、２００…フォーカス制御部、２１０…ズーム制御部、２２０…画像投写部、２３０…ライトバルブ駆動部、２４０…ランプ駆動部、２５０…光源ランプ、２６０…液晶ライトバルブ、２７０…投写レンズ、２８０…線画像、３００…アノテーション設定画面、３１０…パレット選択部、３１２…パレット選択ラジオボタン、３１４…パレット情報表示チェックボックス、３１６…自動切換チェックボックス、３２０…色選択部、３３０…線種選択部、ＳＣ…スクリーン、ＩＭＧ…投写画像。
【図１】
2015114501.tif 000003
【図２】
2015114501.tif 000004
【図３】
2015114501.tif 000005
【図４】
2015114501.tif 000006
【図５】
2015114501.tif 000007